【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
a)電池の第一の電極と電気的に連絡しており、負端子である第一の端子；
b)電池の第二の電極と電気的に連絡しており、正端子である第二の端子；
c)第一の端子から電気的に絶縁された電池缶、ここで、該電池缶の少なくとも一部分は、第二の端子の少なくとも構成要素であるか、または第二の端子に電気的に接続されており、該電池缶は、互いに電気的に連絡しているセルケースおよび蓋を含む；ならびに
d)電池缶と電気的に連絡しており、
i)第二の電極と電気的に連絡している第一の導電板；および
ii)第一の導電板および電池缶の蓋と電気的に連絡している第二の導電板、ここで、第一の導電板は第二の電極と第二の導電板の間にあり、第二の導電板によって蓋と電気的に連絡している、
を含む少なくとも１つの電流遮断デバイス、ここで、電池内部の圧力が所定の値より大きくなると第二の導電板が第一の導電板から分離され、それにより第二の電極と第二の端子間の電流フローが遮断される、
を備える電池。
【請求項２】
電流遮断デバイスの少なくとも一部分が電池缶の一部分である、請求項１記載の電池。
【請求項３】
電流遮断デバイスの少なくとも一部分が電池缶に圧印加工またはスタンピングされている、請求項１記載の電池。
【請求項４】
第一の端子が電池缶の蓋またはセルケースの底面にある、請求項１記載の電池。
【請求項５】
電流遮断デバイスが電池缶の蓋にある、請求項４記載の電池。
【請求項６】
第二の導電板の上に配置され、第二の導電板が電池外部の雰囲気と流体により連絡する少なくとも１つの孔が設けられた端板をさらに含む、請求項１または５記載の電池。
【請求項７】
端板が電池缶の蓋の一部分であり、該電池缶内に第一および第二の導電板がある、請求項６記載の電池。
【請求項８】
第一および第二の導電板の少なくとも一方が、第一および第二の導電板が互いに電気的に連絡する少なくとも１つの突起部を有する、請求項１記載の電池。
【請求項９】
電流遮断デバイスが、第一の導電板の一部分と第二の導電板の一部分との間に絶縁材をさらに含む、請求項１記載の電池。
【請求項１０】
第一の導電板および絶縁材の少なくとも一方が、電池内のガスが第二の導電板と流体により連絡する少なくとも１つの孔を含む、請求項１記載の電池。
【請求項１１】
第一および第二の導電板が、溶接またはスエージ接続の少なくとも１つによって互いに接続される、請求項１記載の電池。
【請求項１２】
セルケースが、電池内部の圧力が所定の値より大きくなるとセル内のガスが放出され得る少なくとも１つの通気手段を含む、請求項１記載の電池。
【請求項１３】
電池缶がアルミニウムを含む、請求項１記載の電池。
【請求項１４】
第一の導電板および第二の導電板の少なくとも一方が、アルミニウム、ニッケルおよび銅からなる群より選択される少なくとも１種類の金属を含む、請求項１記載の電池。
【請求項１５】
電池缶のセルケースが柱状の断面形状を有する、請求項１記載の電池。
【請求項１６】
電池の容量が約3.3Ah/セル以上である、請求項１記載の電池。
【請求項１７】
電池が再充電可能である、請求項１記載の電池。
【請求項１８】
第一の端子または第二の端子のいずれかと電気的に連絡している正端子熱係数層をさらに含む、請求項１記載の電池。
【請求項１９】
正端子熱係数層が第一の導電層と第二の導電層の間にあり、ここで、第二の導電層の少なくとも一部分は、第一の端子の少なくとも構成要素であるか、または第一の端子に電気的に接続されている、請求項１８記載の電池。
【請求項２０】
正端子熱係数層が電池缶の外部に配置される、請求項１９記載の電池。
【請求項２１】
電流遮断デバイスが電池缶の蓋にある、請求項２０記載の電池。
【請求項２２】
電池の第一の電極を第一の端子に電気的に接続するフィードスルーデバイスをさらに含む、請求項２０記載の電池。
【請求項２３】
第一の導電層がフィードスルーデバイスに接続され、フィードスルーデバイスの上にある、請求項２２記載の電池。
【請求項２４】
電池缶の蓋、第二の導電層および正端子熱係数層のそれぞれに、フィードスルーデバイスが第一の導電層に接続される通過孔が設けられた、請求項２３記載の電池。
【請求項２５】
フィードスルーデバイスは、蓋、第二の導電層および正端子熱係数層の各通過孔から電気的に絶縁されるが、
フィードスルーデバイスは第二の導電層と、正端子熱係数層と接している第一の導電層の表面の一部分によって、および正端子熱係数層と接している第二の導電層の表面の一部分によって電気的に連絡している、請求項２４記載の電池。
【請求項２６】
正端子熱係数層が第二の導電層の表面の一部分を覆い、それにより正端子熱係数層に覆われていない第二の導電層の表面の一部分が第一の端子としての機能を果たす、請求項２５記載の電池。
【請求項２７】
複数のセルを備える電池パックであって、各セルが、
a)電池の第一の電極と電気的に連絡しており、負端子である第一の端子；
b)電池の第二の電極と電気的に連絡しており、正端子である第二の端子；
c)第一の端子から電気的に絶縁された電池缶、ここで、該電池缶の少なくとも一部分は、第二の端子の少なくとも構成要素であるか、または第二の端子に電気的に接続されており、該電池缶は、互いに電気的に連絡しているセルケースおよび蓋を含む；ならびに
d)電池缶と電気的に連絡しており
i)第二の電極と電気的に連絡している第一の導電板；および
ii)第一の導電板および電池缶の蓋と電気的に連絡している第二の導電板、ここで、第一の導電板は第二の電極と第二の導電板の間にあり、第二の導電板によって蓋と電気的に連絡している、
を含む少なくとも１つの電流遮断デバイス、ここで、電池内部の圧力が所定の値より大きくなると第二の導電板が第一の導電板から分離され、それにより第二の電極と第二の端子間の電流フローが遮断される、
を含む、電池パック。
【請求項２８】
各セルの容量が約3.3Ah/セル以上である、請求項２７記載の電池パック。
【請求項２９】
各セルの内部インピーダンスが約50ミリオーム未満である、請求項２７記載の電池パック。
【請求項３０】
セルが直列であり、並列に接続されたセルはない、請求項２７記載の電池パック。
【請求項３１】
少なくとも１つのセルが、柱状の断面形状を有するセルケースを含む、請求項２７記載の電池パック。
【請求項３２】
a)互いに電気的に連絡しているセルケースおよび蓋を含む電池缶内に第一の電極および第二の電極を配置する工程、ここで、該電池缶は第二の電極と電気的に連絡している；
b)第一の電極と電気的に連絡しており、電池缶から電気的に絶縁され、負端子である第一の端子を形成する工程；
c)正端子である第二の端子を形成する工程、ここで、電池缶の少なくとも一部分は、第二の端子の構成要素であるか、または第二の端子に電気的に接続されている；ならびに
d)電池缶と電気的に連絡している電流遮断デバイスを形成する工程、ここで、電流遮断デバイスは、
i)第二の電極と電気的に連絡している第一の導電板；および
ii)第一の導電板および電池缶の蓋と電気的に連絡している第二の導電板、ここで、第一の導電板は第二の電極と第二の導電板の間にあり、第二の導電板によって蓋と電気的に連絡している、
を含み、電池内部の圧力が所定の値より大きくなると第二の導電板が第一の導電板から分離され、それにより第二の電極と第二の端子間の電流フローが遮断される、
を含む、請求項１〜２６いずれか記載の電池の作製方法。